(57)【特許請求の範囲】
【請求項１】
第１外壁パネルと、上記第１外壁パネルの鉛直下側に配された第２外壁パネルとの間の横目地に配置される止水部材であって、
上記第２外壁パネルの鉛直上側の面に配置され、屋外側に水を排水する傾斜面を有するベース部と、
上記ベース部の鉛直上側の面から突出しており、上記横目地を覆う見切りカバーを支持することによって上記見切りカバーと上記傾斜面との間に排水のための空間を形成するとともに、上記見切りカバーに設けられた突起部に掛かることによって上記見切りカバーの脱落を防止する係止部と、を備えたことを特徴とする止水部材。
【請求項２】
上記ベース部の鉛直上側の面には、上記見切りカバーを支持する支持部が、上記支持部の屋内側から屋外側に水を排水するための流路が確保されるように設けられていることを特徴とする請求項１に記載の止水部材。
【請求項３】
上記第１外壁パネルの下端部を屋内側から覆うように、鉛直上側の方向に突出している立ち上げ部をさらに備えたことを特徴とする請求項１または２に記載の止水部材。
【請求項４】
第１外壁パネルと、上記第１外壁パネルの鉛直下側に配された第２外壁パネルとの間の横目地に配置される止水部材と対向するように配置され、上記横目地を外側から覆う見切りカバーであって、
上記止水部材は、上記見切りカバーを支持するとともに上記見切りカバーの脱落を防止する係止部を備えており、
上記係止部に掛かることによって上記見切りカバーの脱落を防止する突起部が、鉛直下側の方向に突出するように設けられていることを特徴とする見切りカバー。
【請求項５】
請求項１から３のいずれか１項に記載の止水部材と、見切りカバーとを備えた横目地止水構造体であって、
上記見切りカバーには、上記係止部に掛かることによって上記見切りカバーの脱落を防止する突起部が、上記見切りカバーの鉛直下側の面から突出するように設けられていることを特徴とする横目地止水構造体。
【発明の詳細な説明】
【技術分野】
【０００１】
本発明は、建築物の横目地に装着される止水部材、見切りカバーおよび横目地止水構造体に関する。
【背景技術】
【０００２】
住宅等の建築物において、屋外に露出する外壁パネルの間の目地（縦目地および横目地）には、当該建築物への雨水の浸入を防ぐために、種々の止水構造体が用いられている。従来の止水構造体としては、図４の（ａ）に示すようなシーリング材が、縦目地および横目地に装着されるのが一般的である。また、上下方向の外壁パネルの間の横目地に用いられる止水構造体の例が、特許文献１および２に開示されている。
【０００３】
特許文献１には、化粧カバーの係止面を敷目板の係合溝に係止して一体化することで乾式壁材等の下端部を被覆する水切り兼スタート材が開示されている。また、特許文献２には、先端に係止部が形成された支持腕部を有する支持部材と、前記係止部に係合する被係止部を有する水切部材とを備えた水切り構造が開示されている。また、特許文献３には、横目地を覆うとともに通気路を形成する見切り部材が横目地面部に装着された外壁の排水通気構造が開示されている。
【先行技術文献】
【特許文献】
【０００４】
【特許文献１】特開平８−４１２９号公報（１９９６年１月９日公開）
【特許文献２】特開２０１０−１９００６号公報（２０１０年１月２８日公開）
【特許文献３】特開２０１５−９００４２号公報（２０１５年５月１１日公開）
【発明の概要】
【発明が解決しようとする課題】
【０００５】
しかしながら、図４の（ａ）に示すシーリング材が経年劣化等により破断した場合、当該破断箇所として、図４の（ｂ）および（ｃ）に示すように、外壁パネルとシーリング材との接触箇所に生じた隙間から、雨水等は浸入する。そして、浸入した雨水等は、さらにシーリング材の躯体側の隙間に浸入することとなる。ここで、図４の（ａ）に示すシーリング材は排水可能な構造にはなっていないことから、シーリング材の躯体側の隙間に浸入した雨水等は、図４の（ｄ）に示すように、ＥＰＤＭ製のスポンジで止水し切れずに漏水する可能性があった。一方、特許文献１から３に開示された横目地に用いられる止水構造体は、全て排水可能な構造になっているものの、以下のような問題点があった。
【０００６】
すなわち、特許文献１の水切り兼スタート材は、係止面に設けられた係止爪が係合溝に設けられた複数の係合爪と係合することから、化粧カバー（見切りカバー）の位置決めの自由度が少なく、当該位置決めの修正を容易に行うことができない。また、特許文献２の水切り構造は、支持部材および被係止部が外壁パネルの壁面に対して略垂直な方向に突出している。それゆえ、水切部材（見切りカバー）の屋外に突出する部分が大きくなってしまい建築物の外観を損ねる可能性があった。さらに、特許文献３の外壁の排水通気構造は、横目地面部に第１係止部材および第２係止部材を固定した後、見切り部材（見切りカバー）を押し込んで第１係止部材および第２係止部材に係止固定することによって、見切り部材を横目地に装着する。それゆえ、簡易な作業で見切り部材を横目地に装着することができないという問題点があった。
【０００７】
本発明は、上記の各問題点を解決するためになされたものであり、その目的は、横目地に装着する止水構造体について、見切りカバーの容易な取り付け・位置決めと脱落防止とを両立させることにある。また、本発明の第２の目的は、コンパクトな外観の上記止水構造体を実現することにある。
【課題を解決するための手段】
【０００８】
上記の課題を解決するために、本発明に一態様に係る止水部材は、第１外壁パネルと、上記第１外壁パネルの鉛直下側に配された第２外壁パネルとの間の横目地に配置される止水部材であって、上記第２外壁パネルの鉛直上側の面に配置され、屋外側に水を排水する傾斜面を有するベース部と、上記ベース部の鉛直上側の面から突出しており、上記横目地を覆う見切りカバーを支持することによって上記見切りカバーと上記傾斜面との間に排水のための空間を形成するとともに、上記見切りカバーに設けられた突起部に掛かることによって上記見切りカバーの脱落を防止する係止部と、を備えている。
【０００９】
上記構成によれば、本発明に係る止水部材には、見切りカバーに設けられた突起部に掛かることによって当該見切りカバーを支持するとともにその脱落を防止する係止部が、ベース部の鉛直上側の面から突出するように設けられている。それゆえ、横目地における鉛直方向に略垂直な側（横側）から、係止部が突起部に掛かるように見切りカバーを挿入するだけで止水部材への取り付けを容易に行うことができる。また、挿入した見切りカバーを鉛直方向に略垂直な方向（横方向）にスライドさせるだけで、見切りカバーの位置決めを容易に行うことができる。
【００１０】
また、上記構成によれば、係止部は本発明に係る止水部材に予め備えられていることから、係止部の取り付け作業は不要であり、見切りカバーの支持あるいは脱落防止のために別途部材を備える必要もない。それゆえ、本発明に係る止水部材への見切りカバーの取り付けを簡易な作業で行うことができるとともに、見切りカバーの支持および脱落防止を簡易な構成で実現することができる。
【００１１】
また、上記構成によれば、例えば、係止部がベース部の屋外側端部から略水平方向に突出している場合と比較して、見切りカバーの屋外への突出部分を少なくすることができる。それゆえ、本発明に係る止水部材は、見切りカバーを取り付けることによって横目地周辺の外観をコンパクトにすることができる。
【００１２】
また、上記の課題を解決するために、本発明の一態様に係る止水部材において、上記ベース部の鉛直上側の面には、上記見切りカバーを支持する支持部が、上記支持部の屋内側から屋外側に水を排水するための流路が確保されるように設けられていることが好ましい。
【００１３】
上記構成によれば、見切りカバーは、係止部による支持に加えて支持部によっても鉛直上方向に支持される。それゆえ、本発明に係る止水部材に見切りカバーをより確実に取り付けることができるとともに、見切りカバーの脱落をより確実に防止することができる。
【００１４】
また、上記の課題を解決するために、本発明の一態様に係る止水部材において、上記第１外壁パネルの下端部を屋内側から覆うように、鉛直上側の方向に突出している立ち上げ部をさらに備えていることが好ましい。
【００１５】
上記構成によれば、屋内側から略水平方向に横目地を見た場合、当該横目地の屋内側は立ち上げ部によって完全に覆われた状態となっている。それゆえ、例えば、第１外壁パネルと躯体との間の隙間に浸入した雨水が、さらに横目地の屋内側から当該横目地の内部に浸入することを、効果的に防止することができる。
【００１６】
また、上記の課題を解決するために、本発明の一態様に係る見切りカバーは、第１外壁パネルと、上記第１外壁パネルの鉛直下側に配された第２外壁パネルとの間の横目地に配置される止水部材と対向するように配置され、上記横目地を外側から覆う見切りカバーであって、上記止水部材は、上記見切りカバーを支持するとともに上記見切りカバーの脱落を防止する係止部を備えており、上記係止部に掛かることによって上記見切りカバーの脱落を防止する突起部が、鉛直下側の方向に突出するように設けられている。
【００１７】
上記構成によれば、例えば、突起部が屋内に向かって略水平方向に突出している場合と比較して、上記見切りカバーの屋外への突出部分が少なくなる。それゆえ、本発明に係る見切りカバーは、止水部材に取り付けることによって横目地周辺の外観をコンパクトにすることができる。
【００１８】
また、上記構成によれば、突起部の係止部に対する引っ掛かりによって本発明に係る見切りカバーの支持および脱落防止が行われることから、上記見切りカバーの支持あるいは脱落防止のために、上記見切りカバーに別途部材を備える必要がない。それゆえ、本発明に係る見切りカバーの支持および脱落防止を簡易な構成で実現することができる。
【００１９】
また、上記の課題を解決するために、本発明の一態様に係る横目地止水構造体は、上記各態様のいずれかの止水部材と、見切りカバーとを備えた横目地止水構造体であって、上記見切りカバーには、上記係止部に掛かることによって上記見切りカバーの脱落を防止する突起部が、上記見切りカバーの鉛直下側の面から突出するように設けられている。
【発明の効果】
【００２０】
本発明の一態様に係る横目地止水構造体は、見切りカバーの容易な取り付け・位置決めと当該見切りカバーの脱落防止とを両立させることができ、かつ、コンパクトな外観を有するという効果を奏する。
【図面の簡単な説明】
【００２１】
【図１】本発明の一実施形態に係る横目地止水構造体の要部を示す断面図である。
【図２】上記横目地止水構造体の内部構造を示す斜視図である。
【図３】（ａ）〜（ｃ）は、上記横目地構造体および上側外壁パネルの組付け手順を示す模式図である。
【図４】（ａ）は、従来のシーリング材が建築物の目地に装着されている様子を模式的に示す外観図である。（ｂ）は、図４の（ａ）に示す縦目地に装着された従来のシーリング材のＡ−Ａ線矢視断面図である。（ｃ）は、図４の（ａ）に示す横目地に装着された従来のシーリング材のＢ−Ｂ線矢視断面図である。（ｄ）は、図４の（ａ）に示す横目地に装着された従来のシーリング材のＣ−Ｃ線矢視断面図である。
【発明を実施するための形態】
【００２２】
＜横目地止水構造体の要部の構造＞
先ず、図１および図２を参照して、本発明の一実施形態に係る横目地止水構造体１の要部の構造について説明する。なお、以下では、便宜上、鉛直上側を上方、鉛直下側を下方、紙面に向かって右側を右方、紙面に向かって左側を左方とする。また、右方が屋内側であり、左方が屋外側である。
【００２３】
横目地止水構造体１は、躯体７に固定された上側外壁パネル（第１外壁パネル）５と下側外壁パネル（第２外壁パネル）６との間の横目地４に装着することによって、横目地４への雨水等（水）の浸入を防止する。また、横目地止水構造体１は、横目地４の内部に浸入した雨水等を屋外に排出する。横目地止水構造体１は、図１に示すように、見切りカバー２と止水部材３とを備えている。なお、躯体７は、柱、梁、フレームまたは壁等で構成される。
【００２４】
見切りカバー２は、後述する止水部材３と対向するように当該止水部材３に取り付けられることによって、横目地４の屋外側から雨水等が浸入することを防止するものであり、図１に示すように、互いに連なった化粧部２１と被支持部２２とを備えている。見切りカバー２は、例えば金属または硬質樹脂等で形成される。
【００２５】
化粧部２１は、図１に示すように、横目地４の屋外側（外側）を覆うように断面略Ｌ字形状となっている。化粧部２１の形状は、例えば、断面曲線形状であってもよい。また、化粧部２１の屋外側端部には、後述する係止部３１ａに掛かる突起部２１ａが、下方向（鉛直下側の方向）に突出するように複数設けられている。突起部２１ａの形状は平板形状となっている。
【００２６】
なお、突起部２１ａは屋外側端部に設けられる必要はなく、見切りカバー２がなるべく屋外側に突出しないような化粧部２１の場所に設けられればよい。また、突起部２１ａの形状も平板形状である必要はなく、係止部３１ａに掛かることによって見切りカバー２の取り付け・位置決めが容易にでき、なおかつ、見切りカバー２の脱落を防止できる形状であればよい。さらに、係止部３１ａの個数が複数であっても、突起部２１ａの個数をこれと同じにする必要はなく、後述するベース部３１の上側の排水経路を塞がないのであれば１つであってもよい。なお、上記排水経路を塞がない構造としては、突起部２１ａがベース部３１の上面３１ｃに当接しない構造が好ましく、図１では、突起部２１ａの鉛直方向の長さが、後述する係止部３１ａの鉛直方向の長さよりも短くなっている。
【００２７】
被支持部２２は、図１に示すように、平板形状の本体部２２ａの上面に、防水層としてのＥＰＤＭ（エチレン・プロピレンジエンモノマー）を主体とするスポンジ２２ｂが取り付けられた構造となっている。被支持部２２は、後述する支持部３２によってスポンジ２２ｂの上面が上側外壁パネル５の下面５ｂに押さえ付けられることにより支持される。また、スポンジ２２ｂの上面と上側外壁パネル５の下面５ｂとが密着することにより、被支持部２２の上面と上側外壁パネル５の下面５ｂとの隙間からの雨水等の浸入を防止する。スポンジ２２ｂには、ＥＰＤＭを主体とする代わりに、その他の材質で形成されたガスケットを用いてもよい。例えば、天然ゴム、ＩＲ（イソプレンゴム）またはＣＲ（クロロプレンゴム）を主体とするゴム材料、様々な熱可塑性エストラマー、ウレタン、ＰＶＣ（ポリ塩化ビニル）といったゴム様弾性体によって形成されているガスケットを、スポンジ２２ｂとして用いるのが好ましい。
【００２８】
さらに、被支持部２２の端面２２ｃは、図１に示すように、被支持部２２が支持部３２によって支持された状態において、上側外壁パネル５の屋内側壁面よりも屋外側に配置されることが好ましい。このような配置とすることにより、上側外壁パネル５の屋内側下面においてスポンジ２２ｂに覆われない開放領域５ｂ’ができる。それゆえ、上側外壁パネル５の下面５ｂ付近に浸入した雨水等は開放領域５ｂ’から自重によって下方向に流れ出ることから、上側外壁パネル５の下面５ｂ付近に浸入した雨水等を、後述するベース部３１等を通じて屋外に排水することができる。
【００２９】
被支持部２２の屋内側端部には、見切りカバー２を止水部材３により確実に固定するために、支持部３２の先端部に掛かる、断面略コ字状の補助係止部２２ｄを設けてもよい（図１において図示せず、図３の（ｃ）参照）。補助係止部２２ｄの断面形状は、後述する支持部３２の先端部に掛かる形状であれば略コ字状に限定されない。
【００３０】
なお、スポンジ２２ｂは、本体部２２ａの上面から下面にかけて巻き付けるようにして取り付けてもよい。また、スポンジ２２ｂを取り付けることなく、本体部２２ａの上面を直接上側外壁パネル５の下面５ｂに接触させてもよい。
【００３１】
止水部材３は、横目地４の内部に浸入した雨水等を屋外に排水する。また、見切りカバー２を止水部材３に取り付けることによって、見切りカバー２を横目地４に配置する。止水部材３は、図１に示すように、ベース部３１と支持部３２と立ち上げ部３３とを備えている。ベース部３１および立ち上げ部３３は、例えば金属または硬質樹脂等で形成される。支持部３２は、上述したゴム様弾性体、例えば軟質樹脂等で形成される。
【００３２】
ベース部３１は、下側外壁パネル６の上面（鉛直上側の面）６ａに配置される。ベース部３１の上面（傾斜面）３１ｃは、図１に示すように、横目地４の内部に浸入した雨水等を屋外側に排水するために、屋内側から屋外側へ向けて下方向に連続して傾斜している。なお、ベース部３１の上面３１ｃの一部を水平方向の平面とし、他を上記のように傾斜させる、不連続な傾斜にしてもよい。また、ベース部３１の下面の断面形状は、下側外壁パネル６の上面６ａの形状に対応するように設計される。図１では、下側外壁パネル６の上面６ａの屋外側に傾斜面が設けられ、ベース部３１の下面が、当該傾斜面に密着するように追従した断面形状となっている。
【００３３】
また、ベース部３１の屋外側端部には、突起部２１ａに掛かる係止部３１ａが、上方向に突出するように複数設けられている。係止部３１ａの形状は平板形状であり、その個数は突起部２１ａの個数と同数にしている。
【００３４】
なお、係止部３１ａは屋外側端部に設けられる必要はなく、見切りカバー２がなるべく屋外側に突出しないように、ベース部３１の上面（鉛直上側の面）３１ｃから突出するように設けられていればよい。また、係止部３１ａの個数は、ベース部３１上の排水経路を塞がないのであれば１つであってもよい。
【００３５】
さらに、係止部３１ａの断面形状は平板形状である必要はなく、突起部２１ａに掛かることによって見切りカバー２の脱落を防止し、なおかつ当該見切りカバー２を支持できる形状であればよい。例えば、突起部２１ａの形状が断面略Ｉ字形状であれば、この突起部２１ａの形状に対応させて係止部３１ａの形状を断面略Ｕ字形状とすることもできる（図１において図示せず、図３の（ｃ）参照）。このようにすると、突起部２１ａは屋外側だけでなく、屋内側への移動も規制され、見切りカバー２をより安定した姿勢に保つことができる。また、図示しないが、上述した係止部３１ａの断面形状（略Ｕ字形状）と突起部２１ａの断面形状（略Ｉ字形状）とを交換した、つまり係止部３１ａを断面略Ｉ字形状とし、係止部３１ａを断面略Ｕ字形状としてもよい。さらには、両者とも断面略Ｕ字形状とすることもできる。
【００３６】
なお、図３の（ｃ）のように係止部３１ａの断面形状を略Ｕ字形状とする場合、当該係止部３１ａの断面略Ｕ字形状部分の下方に排水経路となる隙間を設ける必要がある。例えば、断面略Ｕ字形状の係止部３１ａを横目地４に沿って切り欠くことで、上記隙間を設けることも可能である。
【００３７】
ベース部３１の屋外側下端部および屋内側下端部には、下側外壁パネル６の屋外側上端部および屋内側上端部にそれぞれ掛かる、断面略Ｌ字形状の補助係止部３１ｂを設けてもよい（図１および図３の（ａ）参照）。この補助係止部３１ｂによって、止水部材３を下側外壁パネル６により確実に固定することができる。
【００３８】
また、ベース部３１の上面（傾斜面）３１ｃと見切りカバー２との間には、雨水等を屋外に排水するための排水空間（空間）３４が形成されている。排水空間３４には、互いに隣り合う各係止部３１ａの間の隙間、並びに化粧部２１から下方向に突出している突起部２１ａの下端部とベース部３１の間の隙間など、ベース部３１上における排水経路を塞がない隙間（空間）も含まれる。
【００３９】
支持部３２は、見切りカバー２の被支持部２２を支持するための部材であり、図１および図２に示すようにベース部３１の上面３１ｃから突出している。また、支持部３２は、当該支持部３２の先端部が屋内側を向くように、支持部３２の付け根から先端部にかけて湾曲した形状となっている。
【００４０】
支持部３２は、ゴム様弾性体で形成され、弾性的に見切りカバー２の被支持部２２を支持している。上側外壁パネル５の鉛直方向の位置が変化した場合でも、支持部３２が弾性的に被支持部２２を支持することで、被支持部２２と上側外壁パネル５との隙間をなくすことができる。また、被支持部２２の上面（すなわち、スポンジ２２ｂの上面）を上側外壁パネル５の下面５ｂに密着させることができる（図３参照）。
【００４１】
また、支持部３２には、図２に示すように、雨水等を屋内側から屋外側に排水するための排水流路（流路）３２ａが複数確保されている。この排水流路３２ａと排水空間３４とが、雨水等を屋外に排水するための排水経路となる。
【００４２】
なお、排水流路３２ａの個数および大きさは、支持部３２による被支持部２２の支持に影響を及ぼさない範囲内であれば、任意に設定されてもよい。また、支持部３２の配置および形状も上記場合に限定されず、被支持部２２を支持できるように、なおかつ、排水流路３２ａが確保されるように設計されていればよい。例えば、支持部３２の一部を切り欠くまたは支持部３２に穴を設けることにより、上記排水経路を確保することができる。
【００４３】
立ち上げ部３３は、図１および図２に示すように略平板形状であり、ベース部３１の屋内側端部から上側外壁パネル５の屋内側下側面５ａを覆うように、換言すれば、上側外壁パネル５の下端部を屋内側から覆うように、上方向（鉛直上側の方向）に突出している。
【００４４】
また、立ち上げ部３３には、上側外壁パネル５の屋内側の空間から横目地４への雨水等の浸入をより確実に防止するための防水部３３ａが、上側外壁パネル５の屋内側下側面５ａに接触するように設けられている。防水部３３ａは、例えばゴム様弾性体の軟質樹脂等で形成される。なお、立ち上げ部３３のみでも横目地４への雨水等の浸入をある程度防止できることから、立ち上げ部３３に防水部３３ａが設けられていなくてもよい。
【００４５】
＜横目地止水構造体の組付け手順＞
次に、図３を参照して、本発明の一実施形態に係る横目地止水構造体１の組付け手順について説明する。
【００４６】
（１）  まず、図３の（ａ）に示すように、補助係止部３１ｂを、下側外壁パネル６の屋外側上端部および屋内側上端部にそれぞれ掛けることによって、下側外壁パネル６の上面６ａに止水部材３を固定する。なお、ベース部３１の下面には両面テープ（図示せず）が貼り付けられている。
【００４７】
（２）  次に、図３の（ｂ）に示すように、上側外壁パネル５を下側外壁パネル６の上方に設置する。この時、上側外壁パネル５の屋内側下側面５ａが防水部３３ａに接触するようにする。
【００４８】
（３）  次に、図３の（ｃ）に示すように、見切りカバー２を止水部材３に取り付ける。具体的には、本体部２２ａの下面が支持部３２と接触するように、被支持部２２の端面２２ｃを屋内側へ差し込む。この際、突起部２１ａを係止部３１ａの上方に、互いに干渉しないように控えさせておく。次に、被支持部２２の端面２２ｃを所定位置に掛けつつ見切りカバー２を下降させて、突起部２１ａを係止部３１ａの屋内側に配置させることにより、組付けは完了する。なお、見切りカバー２を横方向（右方向または左方向）から横目地４の内部に挿入させることも可能である。また、突起部２１ａが互いに隣り合う各係止部３１ａの間の隙間を通過できるほどに大きければ、被支持部２２の端面２２ｃの屋内側への差込みを水平方向にし、突起部２１ａが上記隙間を通過した後に横にずらすことで、突起部２１ａを係止部３１ａの屋内側に配置させて組付けを完了することもできる。支持部３２が弾性体で形成されている場合、撓みやすいことから、見切りカバー２の挿入がより容易になる。この場合、見切りカバー２挿入後の支持部３２は、挿入前よりも撓んだ状態となる。
【００４９】
なお、図３の（ｃ）に示すように、被支持部２２の屋内側端部に補助係止部２２ｄが設けられている場合には、上記挿入時において、被支持部２２の先端部を補助係止部２２ｄに掛ける。また、係止部３１ａは、突起部２１ａを挟み込むように突起部２１ａと嵌合する形状であってもよい。
【符号の説明】
【００５０】
１  横目地止水構造体    ２  見切りカバー    ３  止水部材    ４  横目地
５  上側外壁パネル（第１外壁パネル）    ５ａ  屋内側下側面（下端部）
６  下側外壁パネル（第２外壁パネル）
６ａ  上面（第２外壁パネルの鉛直上側の面）    ２１ａ  突起部
３１  ベース部    
３１ａ  係止部    ３１ｃ  上面（傾斜面）    ３２  支持部
３２ａ  排水流路（流路）    ３３  立ち上げ部    ３４  排水空間（空間）
【図１】
0006496207.tif 000002
【図２】
0006496207.tif 000003
【図３】
0006496207.tif 000004
【図４】
0006496207.tif 000005